(57)【要約】【課題】携帯電話機能、スチルカメラ機能等の機能を有する携帯型の多機能電子機器の使い勝手を改善する。【解決手段】携帯型の電子機器を連結部３により回動可能に連結して折畳み可能とした本体部１、蓋体部２で構成すると共に、本体部１、蓋体部２の折畳み内面側に入力キー群、メイン表示部を設け、折畳み外面側にカメラ部９、サブ表示部１７を設ける。これにより、携帯電話としての使用が容易な、更に、折畳み状態で携帯電話として待機状態にある場合でも、スチルカメラとして直ちに使用することが出来る等、スチルカメラとしても使用が容易な携帯可能な多機能電子機器を得る。【選択図】図１
2011072019.tif 000002
【特許請求の範囲】
【請求項１】
本体部と蓋体部を連結部により折畳み可能に連結して機器本体と成し、本体部の折畳み内面側に数字等の入力キー部を、本体部の折畳み外面側にカメラを設け、開いた状態でも折り畳んだ状態でも撮影可能な、開いた状態では縦長に持って使用するカメラ付き携帯電話機において、
開いた状態で撮影するためのシャッターボタンを前記入力キー部に備え、
折り畳んだ状態で横長に持って撮影するためのシャッターボタンを前記本体部の側面に備え、
前記カメラは折畳み外面であって前記連結部に近い位置に配置し、
前記開いた状態で撮影するためのシャッターボタンは前記折畳み内面であって前記連結部に近い位置に配置し、
前記折り畳んだ状態で横長に持って撮影するためのシャッターボタンは前記側面であって前記連結部の反対端に近い位置に配置したことを特徴とする携帯電話機。
【請求項２】
開いた状態および折り畳んだ状態で撮影するためのファインダーとなる表示部を前記蓋体部に備えたことを特徴とする請求項１記載の携帯電話機。
【請求項３】
前記蓋体部内面にサブカメラを設けたことを特徴とする請求項１または２記載の携帯電話機。
【発明の詳細な説明】
【技術分野】
【０００１】
この発明は、電子カメラとしての機能と、少なくとも数字等の入力部及び入力内容を表示するメイン表示部を設けた電子機器機能とを有する携帯可能な多機能電子機器に関し、より詳細には、少なくともＣＣＤ等を含む画像を電気信号に変換するカメラ、該カメラからの画像信号或いは外部からの画像信号等を表示できる液晶等より成る表示部を持ち、更に好ましくはスケジュール等のＰＤＡ機能等を持つ携帯可能な多機能電子機器に関する。
【背景技術】
【０００２】
近年、ＣＣＤ等を用いた電子カメラの小型高性能化に伴い、携帯電話にカメラを積載したカメラ付携帯電話が普及している。このカメラ付の携帯電話では、カメラで撮影した画像を電話回線によって通信相手に送付したり、あるいはお互いの顔を見ながら話をするといういわゆるテレビ電話として使用でき、更には、画像をメモリに記憶させることによって電子スチルカメラとして使用できる。
【０００３】
従来のこの種の携帯電話の例としては、例えば、特開平１０−２５７４６０号公報がある。図１０はこの従来例を示す図であり、図１０(ａ)は電子スチルカメラとして使用する状態を示す外観構成図、図１０(ｂ)は携帯電話或いは携帯テレビ電話（以下携帯電話という）として使用する状態を示す外観構成図、図１０(ｃ)は収納時を示す外観構成図である。図９において、９１はカメラ部キャビネットであり、一面にカメラレンズ９３が設けられている。９２は表示部キャビネットであり、携帯電話として使用した場合、カメラレンズ９３と同じ側の面に液晶パネル等よりなる表示部９４が設けられている。カメラ部キャビネット９１、表示部キャビネット９２は結合軸９０により回動自在に結合されており、カメラレンズ９３と表示部９４が対面するように折りたたんだ場合には図９(ｃ)に示す収納状態になり、反対方向に折りたたんだ場合には図９(ａ)に示すスチルカメラとして使用する状態になる。
【０００４】
結合軸９０の詳細を図１１に示す。図１１に示すとおり、カメラ部キャビネット９１には円筒形の結合軸９５、９６が設けられ、表示部キャビネット９２には半円筒形の結合軸受け９７、９８が設けられている。これら結合軸９５、９６と結合軸受け９７、９８は結合可能に構成されている。
【０００５】
図１１（ａ）に示すように結合軸９５と結合軸受け９８が結合した状態ではスチルカメラとしての使用状況にあり、図１１（ｂ）に示すように結合軸９６と結合軸受け９７、および結合軸９５と結合軸受け９８が結合した状態では携帯電話としての使用状況にある。また、図１１（ｃ）に示すように円筒形の結合軸９６と半円筒形の結合軸受け９７が結合している状態では携帯電話は収納状況にある。
【０００６】
特に図面に明示されていないが、カメラ部の信号処理部、表示部の信号処理部等がそれぞれカメラ部キャビネット９１、表示部キャビネット９２に収納されており、さらに、携帯電話としての各種信号処理部、電源部が適宜上記のキャビネット部に収納されている。そして、カメラ部キャビネット９１と表示部キャビネット９２との間には電源供給手段および信号伝達手段が構成されている。
【０００７】
この従来例では、携帯電話として使用する際にはカメラ部キャビネット９１と表示部キャビネット９２を縦方向にカメラレンズ９３と表示部９４とが一面上に並ぶように回動させ、一方、電子スチルカメラとして使用する際には、一方の側に表示部９４が、他方の側にカメラレンズ９３が来るように折畳んだ状態で使用する。なお、携帯電話或いは携帯テレビ電話として使用する際には特に明示されていないが適宜設けられたマイクとスピーカを用いることは言うまでもない。また、携帯電話或いは携帯テレビ電話として使用する際には表示部９２にダイアル表示を行い、この表示部９２をタッチパネルとして用いてダイアル操作を行うこととしている。
【先行技術文献】
【特許文献】
【０００８】
【特許文献１】特開平１０−２５７４６０号公報
【発明の概要】
【発明が解決しようとする課題】
【０００９】
以上に述べた従来例によれば、カメラ部と表示部が重なり合うように折りたたみ可能に構成されているので、携帯電話或いは携帯テレビ電話機能と電子スチルカメラ機能とを有する小型の携帯機器をきわめてコンパクトに構成できるが、電話番号を入力するためのダイアルは表示部９４の一部分を使って表示したダイアルで行うことから、入力内容が見にくいばかりでなくダイアル操作には細い鉛筆状の指示棒等が必要であり、必ずしも操作が容易ではない。しかも電子スチルカメラとして使用している場合は、携帯電話として使用する場合に入力部となる表示部９４が常に外面側に露出しているので、表示部が傷付き易いばかりでなく、そこにキースイッチ式のキーボードを設けることが出来ない。
【００１０】
また、表示部キャビネット９２とカメラ部キャビネット９１とが３６０度に回動可能とされているので、この部分の構成が複雑になり、コストの面から、さらには信頼性の面からも問題があった。
【００１１】
さらに、この従来例では、収納状態即ち折畳まれた状態にある時に電話の着信があった場合等、折畳み状態を開いて表示部を確認しないと誰から電話があったか等を知ることができず使い勝手が悪いという課題がある。
【００１２】
加えて、電子スチルカメラとして使用する際には、表示部キャビネット９２とカメラ部キャビネット９１を３６０度回動させる必要があり、操作が繁雑であってシャッターを切るまでに、時間がかかるという課題を有する。
【００１３】
また、既存のカメラ付携帯電話の中には、カメラを付けた蓋体と同一面に当該カメラで撮影する映像を表示するサブ表示部を設けたものもあるが、自分を撮影することは出来ても、自分以外を撮影することは困難であって、スチルカメラとしては使いにくい。しかも、通常、携帯電話モードで使用しており、カメラモードにするためには、所定の操作を必要とし、直ぐに写真を撮るには時間がかかるという課題を有する。
【００１４】
本願の発明は、このような点に鑑みてなされたものであり、電子スチルカメラとして使用する場合に操作が簡単容易であり、かつ他の電子機器として使用した場合にも、キー入力操作が容易で便利に使える携帯可能な多機能電子機器を提供することを目的とする。
【００１５】
特に、携帯電話としても使用できる本格的なスチルカメラである携帯可能な多機能電子機器を提供することを目的とする。
【課題を解決するための手段】
【００１６】
本発明は、このような従来技術の課題を解決するために成されたものであり、本体部と蓋体部を連結部により折畳み可能に連結して電子機器本体と成し、本体部及び蓋体部の折畳み内面側の一方に数字等の入力キー部を、他方にメイン表示部を設けた電子機器において、上記本体部及び蓋体部の折畳み外面側の一方に第１カメラのレンズ部を設けると共に他方に当該第１カメラのファインダの役割を成すサブ表示部を設け、機器本体の側面部にカメラ用のシャッターを設けたことを特徴とする。
【００１７】
また、上記の構成において、カメラのレンズ部とサブ表示部の設ける位置を交換し、カメラのレンズ部を蓋体部外面側に、サブ表示部を本体側に具備したことを特徴としている。
【００１８】
このように構成することにより、本体部と蓋体部とを折畳んだ携帯状態のままでスチルカメラとして使用することが出来るばかりでなく、蓋体部を開くと操作性の良いキースイッチ式のキーボード及びメイン表示部を有する電話機端末等の電子機器として使用することが出来る。従って、スチルカメラとして使い易く、且つ電話機等の電子機器としても入力など操作性に優れた使いかっての良い携帯可能な多機能電子機器が得られる。特に、入力部と表示部とを蓋体部と本体部とに分けて設けたので、各々を大きくすることが出来る。
【００１９】
本体側にカメラを設けた場合には、電話機端末としての制御回路、スチルカメラとしての制御回路などを本体部側に一括して設けることができるため、機構設計が容易になるといる効果をも有することになる。
【００２０】
本発明では、更に上記のような構成の携帯可能な多機能電子機器において、メイン表示部の文字を連結部側が下となるように表示させ、サブ表示部の文字を連結部側が上となるように表示させる。
【００２１】
この構成によれば、本発明による携帯可能な多機能電子機器を蓋を閉じた状態で連結部が上になるように保持してサブ画面の文字、画像等を読み、また、そのままの保持状態で蓋体を上方に開くと、メイン表示部の文字、画像等が直ちに読めるという効果を有する。
【００２２】
また、本発明によればファインダとして機能するサブ表示部に電話機端末等の電子機器の情報を表示出来るので、蓋体部を閉じていても例えばメール等の着信、着信相手の識別情報をサブ表示部に表示出来る。
【００２３】
本発明は、機器本体を矩形状にしカメラ用シャッターを設けたものであるから、横長にして保持した場合は、本格的なスチルカメラとして使用することが出来る。
【００２４】
本発明では、上記のような構成の多機能電子機器において、電子機器本体を開いた状態の内面側にサブカメラを設け、更に、スピーカを設けたことを特徴とする。
【００２５】
この構成によれば、この携帯可能な多機能電子機器をＴＶ電話として使用した場合に、メイン表示部で相手からの送信画像（顔等）を見ながら、自分を撮像してその画像を送信することができ、しかも相手からの音声を聞くことができるという効果を有する。
【００２６】
本発明では、上記のような構成の携帯可能な多機能電子機器において、電子機器本体を開いた状態の内面側にサブカメラ用シャッターを設け、更にサブ表示部の近傍に第２のシャッターを設ける。
【００２７】
これによれば、携帯電話として使用している場合にメインカメラのファインダとしてメイン表示部を用いて、メインカメラによる撮影が可能となる。また、サブ表示部と同一面にメインカメラ用のシャッターを設けると縦型のスチルカメラとして使用できる。更にメイン表示部はカメラからの映像とサブカメラからの映像を重ねるなど同時に更に多彩な使用が可能となり、操作性が向上する。
【００２８】
本発明では、上記のような構成の携帯可能な多機能電子機器において、サブ表示部において、通信要求のあった相手側の電話番号などの識別情報を表示させ、更に、電子機器本体内に該識別情報と関連づけた画像等の関連情報を記憶できるように構成し、識別情報と一致したときに、該サブ表示部に関連情報を表示できるようにする。
【００２９】
これによれば、着信があったときに、サブ表示部を見るだけで誰から電話があったのかを知ることができ、携帯電話としての使用勝手を良いものとすることができる。
【発明の効果】
【００３０】
本発明によれば、展開した状態で表示部と入力キー部とを有する通常の多機能電子機器（例えば携帯電話）として快適に使用できると共に、折畳んだ状態で本格的なスチルカメラと全く同様な感覚で使用でき、手ぶれの少ない快適な撮影を行うことが出来る。
【００３１】
本発明によれば、蓋体を閉じた状態で多機能電子機器に関連する情報をサブ表示部で見ることが出来る。従って、通信による情報が得られた場合、例えば着信があった場合、サブ表示部を見るだけで誰から電話があったかを容易に知ることができるという効果を有する。特に、予め、電子機器本体内のメモリに通信相手の顔等を記憶させておけば、着信時にその顔を表示させることが出来るため、更に使用時の楽しみが増すという効果を有する。
【００３２】
また、本発明によれば、多機能携帯電子機器を閉じた状態で連結部が上になるように保持すると、そのままの状態でサブ表示部の文字を読むことが出来、更に、そのままの保持状態で蓋体部を上方に開くとメイン表示部の文字をそのままの保持状態のまま直ちに読むことが出来、快適に使用できるという効果を有する。
【００３３】
また、本発明によれば、多機能電子機器をTV電話として使用した場合に、相手側からの画像を見ながら自分の画像を送信でき、しかも相手側からの音声を拡声して聞くことができるため、快適に使用できるという効果を有する。
【００３４】
更に、本発明によれば、カメラのためのシャッターが種々の箇所に設けているため、カメラとして使用状態に応じて多彩な撮影が可能となり、操作性が向上するという効果を有する。
【００３５】
本発明によれば、メイン表示部にメインカメラによる映像と、サブカメラによる映像とを表示することが出来る。
【図面の簡単な説明】
【００３６】
【図１】本発明の多機能電子機器の実施の形態を示す図であり、(ａ)は蓋を途中まで開いた状態の斜視図、(ｂ)は蓋を開いた状態を示す斜視図である。
【図２】本発明の多機能電子機器の実施の形態を示す図であり、(ａ)は図１(ａ)とは異なる他方の側から見た斜視図、(ｂ)は図１(ｂ)の裏面を示す図である。
【図３】本発明の多機能電子機器を折畳んだ状態を示す斜視図である。
【図４】本発明の多機能電子機器を本格的なカメラとして使用する場合を示す説明図である。
【図５】本発明の多機能電子機器を立て位置用のカメラとして使用した場合を示す説明図である。
【図６】本発明の多機能電子機器を用いて自分を撮影する場合の使用状態を示す説明図である。
【図７】本発明の更に他の使用状態を示す図であり、多機能電子機器を展開状態で相手を撮影する状況を示した図である。
【図８】本発明の多機能電子機器の使用状態の一例を示す説明図である。
【図９】本発明の多機能電子機器の信号処理系の概略を示すブロック図である。
【図１０】従来の小型電子機器の斜視図であり、(ａ)は折畳んでカメラとして使用する状態、(ｂ)は携帯電話として使用する状態、(ｃ)は折畳んで収納する状態を示している。
【図１１】(ａ)、(ｂ)、(ｃ)はそれぞれ上記図１０(ａ)、(ｂ)、(ｃ)に対応する側面図である。
【発明を実施するための形態】
【００３７】
以下、本発明の実施の形態を、図面を用いて詳細に説明する。
【００３８】
図１、図２は、本発明の実施の形態に係る携帯可能な多機能電子機器の概観図である。図１（ａ）は、電子機器本体をその中間部分で折畳んだ状態を示しており、図１(ｂ)は、電子機器本体を広げた状態を示している。図２（ａ）は、同じく電子機器本体をその中間部で折畳んだ状態を示しているが、図１（ａ）の場合とは反対の側から見た状態を示している。図２（ｂ）は、電子機器本体を広げた状態を示しているが、図１(ｂ)に示した側とは反対の側から見た図である。
【００３９】
この携帯可能な多機能電子機器は携帯電話機能とカメラ機能を有しており、常時携帯して携帯電話機端末として使用でき、また、カメラとしての機能を有する。さらに、カメラ機能を用いて撮像した画像を、携帯電話機能を利用して送信することも出来る。更に、ＴＶ電話端末としても使用可能である。
【００４０】
図１、図２において、１は矩形状の本体部（図では縦長）であり、内部に携帯電話機能を動作させるための種々のコントロール回路などを有し、更に、後で詳細を説明する操作のための各種のキー類などを有する。２は上記本体部１とほぼ同形状を有する蓋体部であり、本体部１とは連結部３により、回動可能に連結されて電子機器本体を構成している。連結部３は本体部１と蓋体部２とを任意の角度で開閉保持できるヒンジ機構とすることが好ましく、約１８０度の角度まで開くことができる。本体部１及び蓋体部２により多機能な電子機器本体を構成している。上記本体部１及び蓋体部２は連結部３の反対端が弧状に形成されると共に当該両者を重ね合わせた際には、この弧状の反対端同士をロックするロック機構（図示省略）が設けられている。また、本体部１の上記反対端中央部１ａには、当該多機能電子機器を首からぶら下げるためのストラップ兼用の吊り下げ紐１ｂが設けられている。従って、首にかけた場合にはこの多機能電子機器が一種の装飾用ペンダントとなる。そのため、後述するように、本体部１及び蓋体部２の外面は装飾にも合うような形状、構成となっている。
【００４１】
本体部１の折畳み内面側には、数字、アルファベットなどの入力のための入力キー部４、各種操作のための操作キー群５、携帯電話機端末と使用した場合の音声入力部となるマイク６、音声を拡大再生する場合に用いるスピーカ７が設けられ、本体部１の側面部５２にはこの電子機器をカメラとして使用した場合に用いる横位置用シャッター８が設けられている。本体部１の外面側には、図２（ａ）に示されるように第１のカメラとしてのメインカメラのレンズ部９、フラッシュ１０が設けられており、メインカメラのレンズ部９を保護するための回転式のレンズカバー１１が設けられている。この実施の形態では操作キー群５の内の中心のキー５１をカメラの第２のシャッターとしても機能するように構成している。レンズカバー１１は図示のとおり全体として円形の薄板で構成されており、表面が本体部１と同一面となるように本体部に埋め込まれている。レンズカバー１１はその中心部で本体部１に回動可能に保持されており、円形の凹みで構成された指かけ部１２が設けられる。レンズカバー１１の指かけ部１２に指先を引っ掛けながら該レンズカバー１１を回転させることができる。
【００４２】
レンズカバー１１のメインカメラのレンズ部９に該当する箇所およびフラッシュ１０の前面部には開口が設けられており、カメラとして使用する際には、レンズカバー１１を回動させて、この開口部をメインカメラのレンズ部９、フラッシュ１０に位置させる。また、カメラ不使用時には、レンズカバー１１を別の所定位置に置くことにより、メインカメラ部のレンズ部９、フラッシュ１０をカバーできる。なお、上記レンズカバー１１の開口部がメインカメラのレンズ部９を露出させる回転位置になったことを検知する手段を設け、この検知手段の出力により電子スチルカメラモードする構成にしても良い。１８はグリップであり、カメラとして使用した場合の保持性を高めることが出来る。更に、メインカメラのレンズ部９を連結部３に対応する位置に設けると、当該連結部３にメインカメラを収納することが可能となる。
【００４３】
蓋体部２の折畳み内面側には、メール本文の表示、送付されてきた写真の表示、ＴＶ電話として使用した場合の相手からの送信画像の表示、或いは携帯電話操作のための各種情報の表示を行うための第１の表示部となるメイン表示部１３、携帯電話機端末として使用した場合のイヤースピーカ１４、携帯TV電話機端末して使用した場合のカメラ等として用いる第２のカメラとしてのサブカメラのレンズ部１５が設けられている。
【００４４】
この例では、サブカメラのレンズ部１５を蓋体部２の連結部３近くに設けているが、この位置に限られることはなく、例えば、スペースがあれば本体部１の内面側に設けても良い。
【００４５】
蓋体部２の外面側は、連結部３に近い位置が円錐台状に若干膨出し、その平面部に第２表示部としての矩形状のサブ表示部１７が設けられ、更に、サブ表示部１７の下部であって上記膨出部の裾野に沿って３個のボタン１６が設けられている。この３個のボタン１６は携帯電話のメールに関する情報に関する操作に用いられるものであり、第３のシャッター１６は縦位置でカメラを使用した場合に用いる。この第３のシャッター１６の位置は、サブ表示部を見ながら操作できればよいことから、サブ表示部の近傍であれば図示の位置に限らない。その外、各種の操作用のキーが設けられている。サブ表示部１７はメイン表示部１３より表示サイズが小さくともよいが、何を表示させるかにより適宜の表示サイズとすることができることは言うまでもない。サブ表示部１７では、例えば、この発明による携帯可能な多機能電子機器を折畳んで携帯電話機端末として待機状態にした時に、着信があった場合の相手側電話番号の表示、或いはその電話番号に対して特定の名前などが記憶されている場合のその名前表示等に用いる。また、サブ表示部１７は、上記メインカメラを用いてこの電子機器を電子スチルカメラとして使用する場合の電子ファインダーとして用いられる。サブ表示部１７には、これらの情報に限らず、適宜の情報を表示できることは言うまでもない。
【００４６】
メイン表示部１３は図１（ｂ）に示すように、入力キー部４が下方に来るように持った場合に文字が正立するように構成されており、サブ表示部１７は、連結部３が文字の上方として表示されるように構成している。
【００４７】
第１のカメラである上記メインカメラは本格的なカメラとしての使用を考慮して２００万画素或いはそれ以上の画素とすることが好ましい。第２のカメラとしてのサブカメラは、この発明による多機能電子機器をカメラ付き携帯電話機端末として使用する際の撮像用として、或いは携帯ＴＶ電話端末とて使用する際の撮像用等として用いるものであり、３０万画素程度のものでも良い。
【００４８】
本発明の多機能電子機器内部にはメモリを設け、カメラなどで撮影した画像情報を記憶できるようにする。この画像データが人の顔写真であるときには、例えば、写真の人物の電話番号等の識別情報と関連付けておく。そして、その電話番号の電話が着信した場合に、この画像データをサブ表示部に表示させる。画像データとしては顔写真に限らないことは言うまでもなく、特定の識別情報に関連付けた顔写真などを含む関連情報であればよい。
【００４９】
図３は、この多機能電子機器を折畳んだ状況を示している。図示のとおり、折畳んで連結部３を上になるように保持した場合、縦長形状となりサブ表示部１７の文字が正立するように構成されている。この状態で蓋体部２を上方に上げて開くと、蓋体部２の内面側にメイン表示部１３設けられており、しかも図１（ｂ）に示すように、メイン表示部１３の文字が連結部３とは反対の側が上になるように表示されることから、持ち替えることなくメイン表示部の文字を読むことができ、非常に使い勝手の良い構成となっている。
【００５０】
この多機能電子機器を携帯電話機端末として使用するには、通常、図１（ｂ）に示すように本体部１及び蓋体部２を開いた状態でマイク６を口の近くに、スピーカ１４を耳の近くに持っていく。これによりこの多機能電子機器を携帯電話機端末として、従来同様快適に使用することができる。なお、図１(ｂ)のように最も大きく開いた場合、本体部１の連結部３側端部と蓋体部２の連結部側端部とが衝接している。
【００５１】
この多機能電子機器は携帯電話機端末として使用する以外にも、カメラとして快適に使用でき、更に、ＴＶ電話端末としても快適に使用できる。
【００５２】
図４、図５、図６、図７を用いてこの多機能電子機器をカメラとして使用する場合の使用状況を説明する。また、この多機能電子機器をＴＶ電話として使用する場合の使用状況を説明する。
【００５３】
図４はこの多機能電子機器をスチルカメラとして使用する場合を示しており、本体部１と蓋体部２とを閉じて一体型の横長状態において、その弧状の端部１８ｂを持ち、図面では隠れた位置にある本体部１のメインカメラのレンズ９を被写体側に向け、蓋体部２のサブ表示部１７を電子ファインダーとして使用している。本体部１の前面部は弧状の端部１８ｂ側に向かってテーパー１８ａが形成されているので、このテーパー１８ａに沿って指を添え、このテーパーに突出したグリップ１８を保持して機器本体を横位置に構え、横位置用シャッター８を操作することにより撮影ができる。本体部１、蓋体部２が一体となっているためカメラ自体が構造的に堅固となって安定し、更に、この堅固なカメラをしっかりと保持することができることから手ぶれなどの少ない写真をとることができる。特に、図示してないが、左手を本体下部に添えることで更に安定した保持が可能である。
【００５４】
この多機能電子機器の電源を投入して、折畳み状態にし、携帯電話機端末として待機状態にしておいた場合に、シャッターを操作すると、直ちにカメラとしての動作が開始するように構成することが好ましく、これにより、とっさの場合でも短時間の内にカメラのシャッターを切ることが可能となり、カメラとしての操作性が更に高まる。例えば、シャッター８を押し下げると、この押し下げの検知出力によって携帯電話モードからスチルカメラモードに移行すると共にその時の撮影条件で撮影して画像情報を記憶するようにすれば良い。
【００５５】
図５は縦位置での撮影の状況を示している。この場合は、サブ表示部１７の下部に設けた第３のシャッター１６を用いるとカメラを片手で保持しながら安定した撮影が可能である。
【００５６】
図６は自分を撮影する場合の状況を示している。この場合は、メイン表示部１３の下部に設置されたサブカメラのレンズ部１５を用いている。メイン表示部１３を電子ファインダーとして用い、操作キー群５の中のキー５１をシャッターとして用いる。
【００５７】
この場合、用いるカメラをメインカメラとし、そのレンズ部９に切り替えて相手を取るように構成しても良いことは言うまでもない。図７はこの状況を示している。
【００５８】
この多機能電子機器をＴＶ電話端末として用いるときには、自分をサブカメラのレンズ部１５を利用して撮影しこの画像を相手側に送信し、メイン表示部１３に相手から送信されてくる画像を表示させる。この場合、サブカメラのレンズ部１５が連結部３の近くにあるので、メイン表示部１３を見る使用者の目線近くに位置しており、サブカメラで撮影される使用者の顔が最適な角度となる。スピーカ７により相手側からの音声を拡大再生し、自分の音声をマイク６で捕らえて送信する。この場合、メイン表示部の一部に相手への送信画像を表示しこれをモニターしながら通話できるようにしても良い。また、電子機器を開いて図１(ｂ)、図２(ｂ)の状態とし、これを横型として右手で本体部の弧状端部１８ｂ側を持ち、サブカメラによって自分を撮影すると共にメインカメラによって風景などを撮影し、自分の背景に風景を合成した画像として相手に送信すると共に、この画像をメイン表示部１３の一部分に表示するようにしても良い。
【００５９】
なお、上記の例では本体部1の裏面側にメインカメラのレンズ部９を設け、蓋体部２の裏面側にサブ表示部１７を設けた例を示したが、本体部１の裏面側にサブ表示部１７を設け、蓋体部２の裏面側にメインカメラのレンズ部９を設けても本格的なスチルカメラとして使用できる多機能電子機器を得る事ができる。また、この場合、図１(ａ)の状態よりも蓋体部２の開き具合を大きく例えば９０度程度に開いて、本体部１を手に持つか、机上に置いて縦型とし、サブカメラのレンズ部１５で自分を撮影すると共に蓋体部２の外面側に設けたメインカメラのレンズ部９によって風景を撮影することが出来る。
【００６０】
また、メインカメラを本格的なスチルカメラとして使用する場合を例に説明したが、このメインカメラで撮像した画像を携帯電話機能によって送信しても良いことは言うまでもない。この場合、画像のサイズが大きくなることから、カメラ制御回路内に適宜画像サイズの変更ができる手段を設けておくことが好ましい。
【００６１】
図８は多機能電子機器の充電状態を示す斜視図である。同図において、１００は矩形状のアダプタで機器本体の連結部３の外周部に凹状嵌合部１０２をもって着脱自在に嵌合される。なお、連結部３とアダプタ１００とを磁力で結合するようにしておけば、両者の結合は強固となる。このダプタの背面にはアダプタ立て１０２が設けられており、アダプタを適度の角度例えば１３５度の傾斜で立てることが出来、このアダプタ１００に嵌合した電子機器も同一角度に傾斜して保持され写真立てのようになる。この状態においては、サブ表示部１７が正面から見えるので、携帯電話モードにしておけば、待ち受け画像を表示する写真立てとなる。なお、この多機能電子機器は電話として使用する場合、縦型にしているので、送信されて来た画像や撮影画像は連結部３、弧状の反対端を天地とする画像として表示される。しかし、上記のように横型にして置いた場合、サブ表示部１７の画像は９０度回転されて横長の側辺を天地とする画像として表示される。機器本体が縦長に使用されているのか、横長に使用されているのかの検知は内部に設けた位置センサー（図示せず）によって行われる。
【００６２】
更にこの場合、サブ表示部１７を３次元表示と２次元表示とを切り替え表示できる液晶表示装置を用い、待ち受け画面に３次元情報を表示することが出来る。この場合には、使用者の視線との関係で最も立体像の見え易い角度に機器本体を傾斜させるように調節をしておけば良い。
【００６３】
図９は、携帯電話機能、電子カメラ機能を有する本発明による多機能電子機器の信号処理系の概略を示す図である。特に信号処理系についてはこの発明の主要部をなすものではないことから、詳細は省略する。
【００６４】
本発明に係る携帯電話機能及び電子カメラ機能等を有する多機能電子機器８１は、この多機能電子機器の全体の制御を行う情報処理手段８８を有する。この情報処理手段８８にはＣＰＵが含まれており、各種のキー入力部、音声入力用マイク、音声出力用スピーカ等を含む入出力手段７５およびメモリ７２が接続されている。このメモリ７２にはこの多機能電子機器を電子カメラとしての動作或いはカメラ付携帯電話としての動作を制御するための動作制御プログラムが記憶されているＲＯＭ、電子カメラ機能のための各種定数、撮影条件を示すパラメータ等が記憶されているＲＯＭ、及びプログラム実行時の作業領域となる記憶手段であるＲＡＭより構成されている。
【００６５】
この情報処理手段８８は、詳細は省略するが電子カメラ或いはカメラ付携帯電話の画像データのサンプリングタイミング制御、絞りやシャッタースピード等を含む露光制御、フォーカス制御、ズーム制御、ホワイトバランス設定、画像データの記録制御、通信制御、表示制御、画像データの画素数変換処理、加増データの各種変換処理、省電力モードの設定や解除等を行う等、この発明による多機能電子機器８１の全体を統括制御する。
【００６６】
本発明に従った多機能電子機器８１は、更に、メイン表示部８７、サブ表示部８２、電子カメラ８３（メインカメラ、サブカメラを含む）、画像処理手段８４、画像データを一時的に記憶しておくフレームメモリ８５、Ｄ／Ａ変換機８６、圧縮・解凍手段８９、記録媒体インターフェース７６、記録媒体７７を有しており、加えて、特に携帯電話機能として必要な送受信手段７３、通信コネクタ７１、アンテナ７４を有している。
【００６７】
画像処理手段８４は、画素数の変更、シャープネス補正、ガンマ補正、コントラスト補正、ホワイトバランス補整等の処理を行うもので、この画像処理手段８４からの画像データはフレームメモリに一時的に記憶される。
【００６８】
圧縮・解凍手段８９は、画像データなどのデータをＪＰＥＧやＭＰＥＧに代表される手法で圧縮制御したり、情報処理手段８８の指示により圧縮したデータを伸張展開制御するものである。これにより、画像データ等の大容量のデータを効率よく送受信できることになる。記録媒体インターフェース７６は、各種のメモリカードやＭＯなどの半導体、磁気記録、光磁気記録より成る記録媒体７７を着脱可能に装着するためのものである。
【００６９】
送受信手段７３は、情報処理手段８８からの指令により、画像データやディレクトリ等のデータを符号化し、複合化して搬送波に乗せ、アンテナ７４を介して送信又は受信する。通信コネクタ７１は、画像データ等の情報の送受信を有線で行うためのコネクタであり、同様な通信コネクタを有する機器に対して画像ファイルや、メモリ７２中のＲＡＭ、ＲＯＭ、或いはフレームメモリ８５に記憶されているデータを送信し、また、相手方から送信されてきたデータを前記各記憶手段に記憶させたりすることができる。コネクタ間は光ケーブルで行ってもよく、この場合には信号を光信号に変換する必要がある。
【００７０】
電子カメラ８３は、実際には表示していないが、並列に上記メインカメラ、上記サブカメラの二つのカメラが設けてあり、適宜どのカメラを用いるか選択可能とされている。本発明による折畳み可能な多機能電子機器を折畳んで携帯電話の待機状態にしておく場合には、メインカメラが直ちに動作するように設定しておくことが好ましく、したがって、この状態であれば横位置用シャッター８を操作すると直ちにカメラのシャッターを切ることができる。カメラとしてシャッターは各種キー入力部から選ばれ得るが、実施例のものでは、既に説明したとおり、横位置用シャッター８、縦位置用シャッター１６、操作キー群５中のキー５１が選ばれている。更に、詳細は省略するが、電子カメラ８３には、被写体を受光面に結像させて光電変換し、画像データとして出力するＣＣＤ等の光電変換素子、被写体受光面に結像させるためのフォーカス手段、露光量を調節するための絞り機構、露光時間を調節するためのシャッタースピード調節手段、画角を調節するためのズーム機構とが含まれ、これらは情報処理手段８８により制御される。また、入出力手段７５により、携帯電話端末として利用した場合の音声入力、音声出力が行われる。
【００７１】
上記実施態様はスチルカメラ機能と携帯電話機能とを兼ね備えた多機能電子機器であるが、携帯電話機能に代えて、パソコン機能、計算機機能、ＰＤＡ機能、メール機能、翻訳機能等とすることが出来る。また、これら機能を１つ又は複数備えるようにしても良い。
【符号の説明】
【００７２】
１  本体部
２  蓋体部
３  連結部
４  入力キー部
５  操作キー群
６  マイク
７  スピーカ
８  横位置用シャッター
９  メインカメラのレンズ部
１０  フラッシュ
１１  レンズカバー
１２  指かけ部
１３  メイン表示部
１４  イヤースピーカ
１５  サブカメラのレンズ部
１６  縦位置用シャッター
１７  サブ表示部
１８  グリップ
【図１】
2011072019.tif 000003
【図２】
2011072019.tif 000004
【図３】
2011072019.tif 000005
【図４】
2011072019.tif 000006
【図５】
2011072019.tif 000007
【図６】
2011072019.tif 000008
【図７】
2011072019.tif 000009
【図８】
2011072019.tif 000010
【図９】
2011072019.tif 000011
【図１０】
2011072019.tif 000012
【図１１】
2011072019.tif 000013
【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
表面に表示部、裏面にカメラを備えた携帯電話機であって、
自機を横長にして立てるためのスタンドを前記裏面に備えたことを特徴とする携帯電話機。
【請求項２】
前記表示部は、前記カメラで撮影した撮影画像を表示することを特徴とする請求項１に記載の携帯電話機。
【請求項３】
自機が縦長で使用されているのか、横長で使用されているのかを検知する位置センサーを備え、前記位置センサーが検知した向きに応じて前記表示部で表示する画像を９０度回転することを特徴とする請求項１または２に記載の携帯電話機。